(57)【要約】移動端末（１００）は、支持アセンブリ（１）と、表示画面（２）と、可動シート（３）とを含む。支持アセンブリ（１）は、第一のハウジング（１１）と、第二のハウジング（１２）と、それらの間に接続された屈曲可能部材（１３）とを含む。第一のハウジング（１１）には、突出部（１１５）が設けられ、そこに収容スロット（１１４）が画定される。第二のハウジング（１２）には、凹溝（１２４）が設けられている。支持アセンブリ（１）を折り畳むと、少なくとも突出部（１１５）の一部が凹溝（１２４）内に収容される。カメラ（４１）は、可動シート（３）内に配置される。可動シート（３）は、収容スロット（１１４）内に退避可能に取り付けられ、カメラ（４１）を保持する可動シート（３）は、収容スロット（１１４）内に受容されるように、あるいは収容スロット（１１４）から延出するように構成され、カメラ（４１）の撮像面が露出するようになっている。【選択図】図１
2021520171.tif 000002
【特許請求の範囲】
【請求項１】
支持アセンブリ（１）と、表示画面（２）と、可動シート（３）とを備えることを特徴とする移動端末（１００）であって、
前記支持アセンブリ（１）は、第一のハウジング（１１）と、第二のハウジング（１２）と、屈曲可能部材（１３）とを備え、前記屈曲可能部材（１３）は、前記第一のハウジング（１１）と前記第二のハウジング（１２）の間に接続され、前記屈曲可能部材（１３）は、前記支持アセンブリ（１）を展開すること、または折り畳むことができるように、展開または屈曲することができ、
前記第一のハウジング（１１）は、第一の内面（１１１）と、第一の外面（１１２）と、第一の周面（１１３）とを備え、前記第一の外面（１１２）は、前記表示画面（２）を支持し、前記第一の内面（１１１）は、前記第一の外面（１１２）に対向して配置され、前記第一の周面（１１３）は、前記第一の内面（１１１）と前記第一の外面（１１２）との間に接続され、前記第一のハウジング（１１）には突出部（１１５）が設けられ、前記突出部（１１５）は、前記第一の内面（１１１）から突出し、前記第一のハウジング（１１）は、その中に収容スロット（１１４）を画定し、前記収容スロット（１１４）は、少なくとも部分的に突出部（１１５）内で画定され、前記収容スロット（１１４）は、前記第一のハウジング（１１）の内側から前記第一の周面（１１３）まで延在し、
前記第二のハウジング（１２）は、第二の内面（１２１）と第二の外面（１２２）とを備え、前記第二の外面（１２２）は、前記表示画面（２）を支持し、前記第二の内面（１２１）は、前記第二の外面（１２２）に対向して配置され、前記第二のハウジング（１２）には、凹溝（１２４）が設けられ、前記支持アセンブリ（１）を折り畳むと、前記第二の内面（１２１）が前記第一の内面（１１１）に対向して配置され、前記突出部（１１５）の少なくとも一部が前記凹溝（１２４）内に収容され、前記第一の内面（１１１）上の前記凹溝（１２４）の突起部が前記第一の内面（１１１）上の前記収容スロット（１１４）の突起部を覆い、
カメラ（４１）は、前記可動シート（３）に配置され、前記可動シート（３）は、前記収容スロット（１１４）内に退避可能に取り付けられ、前記カメラ（４１）を保持する前記可動シート（３）は、前記カメラ（４１）の撮像面を露出するように、前記収容スロット（１１４）内に受容されるか、または前記収容スロット（１１４）から延出するように構成される、移動端末（１００）。
【請求項２】
前記第一の周面（１１３）は、開放面（１１３０）を備え、前記収容スロット（１１４）の開口部（１１４９）は、前記開放面（１１３０）に部分的に形成され、前記可動シート（３）は、前記収容スロット（１１４）の前記開口部（１１４９）を介して前記開放面（１１３０）から延出するか、またはその中に退避し、
前記第一の周面（１１３）は、第一の頂部側面（１１３１）と、第一の底部側面（１１３２）と、第一の横側面（１１３３）とを備え、前記第一の頂部側面（１１３１）は、前記第一の底部側面（１１３２）に対向して配置され、前記第一の横側面（１１３３）は、前記第一の頂部側面（１１３１）と前記第一の底部側面（１１３２）との間に接続され、前記開放面（１１３０）は、前記第一の頂部側面（１１３１）、前記第一の底部側面（１１３２）および前記第一の横側面（１１３３）のうちの１つである、請求項１に記載の移動端末（１００）。
【請求項３】
前記突出部（１１５）は、第一の外側壁（１１５１）を備え、前記第一の外側壁（１１５１）の向きは、前記開放面（１１３０）の向きと一致し、前記収容スロット（１１４）の前記開口部（１１４９）は、前記第一の外側壁（１１５１）に部分的に形成される、請求項２に記載の移動端末（１００）。
【請求項４】
前記第一の外側壁（１１５１）は、前記開放面（１１３０）と同じ高さであるか、または前記第一の外側壁（１１５１）と前記開放面（１１３０）との間に間隔を置いて配置される、請求項３に記載の移動端末（１００）。
【請求項５】
前記第二のハウジング（１２）は、第二の周面（１２３）をさらに備え、前記第二の周面（１２３）は、前記第二の内面（１２１）と前記第二の外面（１２２）との間に接続され、前記凹溝（１２４）は、前記第二の周面（１２３）まで延在し、前記凹溝（１２４）の前記開口部の一部が前記第二の周面（１２３）に形成され、前記支持アセンブリ（１）を折り畳むと、前記凹溝（１２４）の前記開口部が前記収容スロット（１１４）の前記開口部（１１４９）と部分的に重なる、請求項２〜４のいずれか一項に記載の移動端末（１００）。
【請求項６】
前記突出部（１１５）は、第二の外側壁（１１５２）および第三の外側壁（１１５３）をさらに備え、前記第二の外側壁（１１５２）と前記第三の外側壁（１１５３）とは、互いに対向して配置され、それぞれ前記第一の外側壁（１１５１）の２つの端部と接続され、前記凹溝（１２４）内に前記突出部（１１５）が収容されると、前記第二の外側壁（１１５２）と前記第三の外側壁（１１５３）とが前記凹溝（１２４）の壁と締まり嵌めを形成する、請求項３〜５のいずれか一項に記載の移動端末（１００）。
【請求項７】
前記支持アセンブリ（１）は、第一のロック部材（１５１）および第二のロック部材（１５２）をさらに備え、前記第一のロック部材（１５１）は、前記第一のハウジング（１１）上に配置され、前記第二のロック部材（１５２）は、前記第二のハウジング（１２）上に配置され、前記支持アセンブリ（１）を折り畳むと、前記第一のロック部材（１５１）は前記第二のロック部材（１５２）と協働する、請求項１〜６のいずれか一項に記載の移動端末（１００）。
【請求項８】
前記第一のロック部材（１５１）は第一の永久磁石であり、前記第二のロック部材（１５２）は第二の永久磁石であり、前記支持アセンブリ（１）を折り畳むと、前記第一の永久磁石と前記第二の永久磁石とが互いに磁気的に引き合い、
前記第一のロック部材（１５１）は、前記突出部（１１５）の外側壁から突出する係止ブロックであり、前記第二のロック部材（１５２）は、前記凹溝（１２４）の壁から窪む係止溝であり、前記支持アセンブリ（１）を折り畳むと、前記係止ブロックは前記係止溝に係合し、あるいは、
前記第一のロック部材（１５１）は、前記突出部（１１５）の外側壁から突出する第一の制限ブロックであり、前記第二のロック部材（１５２）は、前記凹溝（１２４）の壁から突出する第二の制限ブロックであり、前記支持アセンブリ（１）を折り畳むと、前記第一の制限ブロックは前記第二の制限ブロックに当接する、請求項７に記載の移動端末（１００）。
【請求項９】
前記収容スロット（１１４）は、互いに対向して配置された第一の側壁（１１４１）および第二の側壁（１１４２）を備え、前記可動シート（３）は、前記第一の側壁（１１４１）および前記第二の側壁（１１４２）と摺動可能に接続して、前記収容スロット（１１４）から摺動して出入りするようになっている、請求項１〜８のいずれか一項に記載の移動端末（１００）。
【請求項１０】
前記収容スロット（１１４）の壁が円弧状であり、前記可動シート（３）の外側壁が円弧状であり、前記可動シート（３）の前記外側壁が前記収容スロット（１１４）の前記壁と対向して配置され、前記可動シート（３）は前記第一のハウジング（１１）に回転可能に接続され、前記収容スロット（１１４）から回転して出入りする、請求項１〜８のいずれか一項に記載の移動端末（１００）。
【請求項１１】
前記可動シート（３）は、虹彩認識モジュール、人間の顔認識モジュール、フラッシュライト、マイクロホン、イヤホン（４２）、光センサ、および指紋モジュールのうちの少なくとも１つをさらに備える、請求項１〜１０のいずれか一項に記載の移動端末（１００）。
【請求項１２】
前記表示画面（２）は、フレキシブル表示画面であり、前記第一の外面（１１２）、前記屈曲可能部材（１３）の外面および前記第二の外面（１２２）がともに表示画面（２）を支持し、あるいは、
前記表示画面（２）は、第一のサブ表示画面（２１）および第二のサブ表示画面（２２）を備え、前記第一のサブ表示画面（２１）は、前記第一の外面（１１２）上に置かれ、前記第二のサブ表示画面（２２）は、前記第二の外面（１２２）上に置かれる、請求項１〜１１のいずれか一項に記載の移動端末（１００）。
【請求項１３】
前記カメラ（４１）の前記撮像面の向きが前記第一の外面（１１２）の向きと一致するか、または前記カメラ（４１）の前記撮像面の前記向きが前記第一の内面（１１１）の向きと一致する、請求項１〜１２のいずれか一項に記載の移動端末（１００）。
【請求項１４】
前記表示画面（２）は、第一の表示領域（２ａ）と第二の表示領域（２ｂ）とを備え、前記第一の表示領域（２ａ）は、前記第一の外面（１１２）と重なり、前記第二の表示領域（２ｂ）は、前記第二の外面（１２２）と重なり、前記カメラ（４１）の前記撮像面の向きは、前記第一の内面（１１１）の向きと一致しており、前記移動端末（１００）は、コントローラ（５）をさらに備え、前記コントローラ（５）は、前記第一のハウジング（１１）または前記第二のハウジング（１２）の内部に収容され、前記コントローラ（５）は、
撮影信号を受信するように構成されている受信ユニット（５１１）と、
前記撮影信号が正面撮影か背面撮影かを判定するように構成されている判定ユニット（５１２）と、
前記撮影信号が前記背面撮影を示すとき、前記第一の表示領域（２ａ）を切り替えて、前記カメラ（４１）の撮影インタフェースを表示するように構成され、前記撮影信号が前記正面撮影を示すとき、前記第二の表示領域（２ｂ）を切り替えて、前記カメラ（４１）の前記撮影インタフェースを表示するように構成されている切替ユニット（５１３）と、
前記カメラ（４１）を保持する前記可動シート（３）を駆動して、前記撮影信号に従って前記収容スロット（１１４）から延出し、前記カメラ（４１）を制御して撮像するように構成されている駆動ユニット（５１４）と、
を備える、請求項１〜１３のいずれか一項に記載の移動端末（１００）。
【請求項１５】
前記表示画面（２）は、第一の表示領域（２ａ）と第二の表示領域（２ｂ）とを備え、前記第一の表示領域（２ａ）は、前記第一の外面（１１２）と重なり、前記第二の表示領域（２ｂ）は、前記第二の外面（１２２）と重なり、前記カメラ（４１）の前記撮像面の向きは、前記第一の外面（１１２）の向きと一致しており、前記移動端末（１００）は、コントローラ（５）をさらに備え、前記コントローラ（５）は、前記第一のハウジング（１１）または前記第二のハウジング（１２）の内部に収容され、前記コントローラ（５）は、
撮影信号を受信するように構成されている受信ユニット（５２１）と、
前記撮影信号が正面撮影か背面撮影かを判定するように構成されている判定ユニット（５２２）と、
前記撮影信号が前記正面撮影を示すとき、前記第一の表示領域（２ａ）を切り替えて、前記カメラ（４１）の撮影インタフェースを表示するように構成され、前記撮影信号が前記背面撮影を示すとき、前記第二の表示領域（２ｂ）を切り替えて、前記カメラ（４１）の前記撮影インタフェースを表示するように構成されている切替ユニット（５２３）と、
前記カメラ（４１）を保持する前記可動シート（３）を駆動して、前記撮影信号に従って前記収容スロット（１１４）から延出し、前記カメラ（４１）を制御して撮像するように構成されている駆動ユニット（５２４）と、
を備える、請求項１〜１３のいずれか一項に記載の移動端末（１００）。
【発明の詳細な説明】
【技術分野】
【０００１】
説明される実施形態は、移動端末の技術分野に関する。
【背景技術】
【０００２】
近年、より良い利用体験を得るために、ユーザの大画面表示に対する要求が急速に高まっている。しかしながら、カメラ等の部品も携帯電話機の前面に配置する必要があり、これらの部品は表示画面の配置空間を制限するため、携帯電話機の画面本体比を向上させることは困難である。
【発明の概要】
【発明が解決しようとする課題】
【０００３】
本開示の実施形態は、移動端末を提供する。移動端末は、支持アセンブリと、表示画面と、可動シートとを含むことができる。支持アセンブリは、第一のハウジングと、第二のハウジングと、屈曲可能部材とを含む。屈曲可能部材は、第一のハウジングと第二のハウジングとの間に接続されている。屈曲可能部材を展開または屈曲させると、支持アセンブリを展開すること、または折り畳むことができるようになる。第一のハウジングは、第一の内面と、第一の外面と、第一の周面とを含む。第一の外面は、表示画面を支持する。第一の内面は、第一の外面に対向して配置されている。第一の周面は、第一の内面と第一の外面との間に接続されている。第一のハウジングには、突出部が設けられている。突出部は、第一の内面から突出している。第一のハウジングは、その中に収容スロットを画定する。収容スロットは、突出部内に少なくとも部分的に画定され、収容スロットは、第一のハウジングの内側から第一の周面まで延在する。第二のハウジングは、第二の内面と第二の外面とを備える。第二の外面は、表示画面を支持する。第二の内面は、第二の外面に対向して配置されている。第二のハウジングには、凹溝が設けられている。支持アセンブリを折り畳むと、第二の内面が第一の内面に対向して配置され、突出部の少なくとも一部が凹溝内に収容され、第一の内面上の凹溝の突起部が第一の内面上の収容スロットの突起部を覆う。カメラは、可動シート内に配置される。可動シートは、収容スロット内に退避可能に取り付けられ、カメラを保持する可動シートは、収容スロット内に受容されるように、あるいは収容スロットから延出するように構成され、カメラの撮像面が露出するようになっている。
【０００４】
本出願では、カメラを保持する可動シートは、第一の周面に対して、収容スロットから延出すること、あるいはその中に退避することができるので、カメラを保持する可動シートは、カメラが撮影のために必要とされるときに、撮影のために収容スロットから延出し、カメラを保持する可動シートは、カメラが撮影のために必要とされないときに、収容スロットの中に退避する。これにより、カメラは、移動端末の第一の外面および第二の外面上で空間を占有する必要がなくなり、表示画面をできるだけ第一の外面および第二の外面上に配置することができ、移動端末の画面本体比を向上させることができる。
【０００５】
本開示の技術的解決策を明確に示すために、実施形態の説明において使用される図面を簡単に説明する。本明細書で説明される図面は、本開示のいくつかの実施形態にすぎないことを理解されたい。当業者は、発明的な努力なしに、これらの図面から他の図面を導き出すことができる。
【図面の簡単な説明】
【０００６】
【図１】本出願の実施形態に従って提供される折り畳み状態の移動端末の概略構造図である。
【図２】展開状態における図１の移動端末の概略構造図である。
【図３】図１の移動端末の支持アセンブリの概略構造図である。
【図４】図１の移動端末の上面図である。
【図５】展開状態における図１の移動端末の別の概略構造図である。
【図６】折り畳み状態における図１の移動端末の別の概略構造図である。
【図７】図１の移動端末の一部の概略構造図である。
【図８】展開状態における図１の移動端末の別の画角からの概略構造図である。
【図９】図４のＡにおける構造の実施形態の概略図である。
【図１０】図３の線Ｂ−Ｂに沿った構造の実施形態の概略構造図である。
【図１１】図３の線Ｂ−Ｂに沿った構造の別の実施形態の概略構造図である。
【図１２】図４のＡにおける構造の別の実施形態の概略図である。
【図１３】図４のＡにおける構造のさらなる実施形態の概略図である。
【図１４】図４のＡにおける構造のさらに別の実施形態の概略図である。
【図１５】本出願に従って提供される移動端末の他の実施形態の概略構造図である。
【図１６】図１２のＢにおける構造の拡大概略図である。
【図１７】本出願に従って提供される移動端末の他の実施形態の概略構造図である。
【図１８】本出願に従って提供される移動端末のさらなる実施形態の概略構造図である。
【図１９】図１の可動シートと移動端末のカメラの概略分解図である。
【図２０】図１の移動端末のコントローラの概略ブロック図である。
【図２１】図１８の移動端末のコントローラの概略ブロック図である。
【発明を実施するための形態】
【０００７】
以下に記載される詳細な説明は、添付の図面および実施形態を参照して、主題技術の説明として意図される。本明細書で説明される実施形態は、本開示の実施形態のいくつかの部分のみを含むが、すべての実施形態を含むわけではないことが理解される。本開示の実施形態に基づいて、当業者がこれらの実施形態から得ることができる他のすべての実施形態は、本開示の範囲内である。
【０００８】
本開示の説明において、「上」、「下」、「前」、「後」、「左」、「右」、「内」、「外」、「側」等の用語は、添付の図面に示される向きおよび位置関係を参照することが理解されるべきである。したがって、ここで使用されるこれらの用語は、本開示を説明するためのものに過ぎず、簡単な方法で説明するためのものであり、デバイスまたは要素が、特定の方向に位置するように配置されること、または特定の方向に構造化され、実行されることを意味または暗示することを意図するものではなく、本開示を限定するものとして理解されるべきではない。
【０００９】
本開示では、特に指定または限定されない限り、「取り付けられた」、「接続された」、「結合された」、「配置された」等の用語は、広い意味で使用される。例えば、固定接続、取り外し可能な接続、または一体接続を含むことも、機械的または電気的接続であることも、直接接続または介在構造を介した間接接続であることも、２つの要素の内部連通であることもできるが、これは、特定の状況に応じて、当業者によって理解され得るとおりである。
【００１０】
さらに、本開示の説明において、「複数」という用語は、特に断らない限り、２つ以上を意味する。明細書中に「プロセス」という用語が記載されている場合には、独立したプロセスのみならず、「プロセス」の所望の効果が得られる限り、明確に区別できない他のプロセスを意味するものとする。また、本明細書中において「〜」と記載されている数値範囲とは、記号「〜」の前後の値をそれぞれ最小値および最大値として含む範囲を意味するものとする。なお、以下の図面において、同一または類似の構成には同一の符号を付してある。
【００１１】
本出願では、無線インタフェースを介して通信するように構成された通信端末は、「無線通信端末」、「無線端末」、または「移動端末」と呼ばれることがある。本明細書で使用される「通信端末」（「端末」とも呼ばれる）は、公衆交換電話網（ＰＳＴＮ）、デジタル加入者回線（ＤＳＬ）、デジタルケーブル、直接ケーブル接続、および／または別のデータ接続／ネットワークを介するような有線接続を介して、および／または、例えば、セルラーネットワーク、無線ローカルエリアネットワーク（ＷＬＡＮ）、ＤＶＢ−Ｈネットワーク等のデジタルテレビネットワーク、衛星ネットワーク、ＡＭ−ＦＭブロードキャスト送信機、および／または別の通信端末との無線インタフェースを介して、通信信号を受信／送信するように構成されるデバイスを含むが、これらに限定されない。無線インタフェースを介して通信するように設定された通信端末は、「無線通信端末」、「無線端末」および／または「移動端末」と呼ばれることがある。移動端末の例には、衛星無線電話またはセルラー無線電話と、セルラー無線電話をデータ処理、ファクシミリおよびデータ通信能力と組み合わせることができるパーソナル通信システム（ＰＣＳ）端末と、無線電話、ページャ、インターネット／イントラネット・アクセス、ウェブ・ブラウザ、オーガナイザ、カレンダ、および／または全地球測位システム（ＧＰＳ）受信機を含むことができる携帯情報端末と、無線電話送信機を含む従来のラップトップおよび／またはパームトップの受信機または他の機器が含まれるが、これらに限定されない。
【００１２】
本開示は、移動端末に関する。移動端末は、支持アセンブリと、表示画面と、可動シートとを含むことができる。支持アセンブリは、第一のハウジングと、第二のハウジングと、屈曲可能部材とを含む。屈曲可能部材は、第一のハウジングと第二のハウジングとの間に接続されている。屈曲可能部材を展開または屈曲させると、支持アセンブリを展開すること、または折り畳むことができるようになる。第一のハウジングは、第一の内面と、第一の外面と、第一の周面とを含む。第一の外面は、表示画面を支持する。第一の内面は、第一の外面に対向して配置されている。第一の周面は、第一の内面と第一の外面との間に接続されている。第一のハウジングには、突出部が設けられている。突出部は、第一の内面から突出している。第一のハウジングは、その中に収容スロットを画定する。収容スロットは、突出部内に少なくとも部分的に画定され、収容スロットは、第一のハウジングの内側から第一の周面まで延在する。第二のハウジングは、第二の内面と第二の外面とを含む。第二の外面は、表示画面を支持する。第二の内面は、第二の外面に対向して配置されている。第二のハウジングには、凹溝が設けられている。支持アセンブリを折り畳むと、第二の内面が第一の内面に対向して配置され、突出部の少なくとも一部が凹溝内に収容され、第一の内面上の凹溝の突起部が第一の内面上の収容スロットの突起部を覆う。カメラは、可動シート内に配置される。可動シートは、収容スロット内に退避可能に取り付けられ、カメラを保持する可動シートは、収容スロット内に受容されるように、あるいは収容スロットから延出するように構成され、カメラの撮像面が露出するようになっている。
【００１３】
少なくとも一実施形態では、第一の周面は、開放面を含む。収容スロットの開口部は、開放面に部分的に形成され、可動シートは、収容スロットの開口部を介して開放面から延出するか、またはその中に退避する。第一の周面は、第一の頂部側面と、第一の底部側面と、第一の横側面とを含み、第一の頂部側面は、第一の底部側面に対向して配置され、第一の横側面は、第一の頂部側面と第一の底部側面との間に接続され、開放面は、第一の頂部側面、第一の底部側面および第一の横側面のうちの１つである。
【００１４】
少なくとも一実施形態では、突出部は、第一の外側壁を含み、第一の外側壁の向きは、開放面の向きと一致し、収容スロットの開口部は、第一の外側壁に部分的に形成される。
【００１５】
少なくとも１つの実施態様では、第一の外側壁は、開放面と同じ高さであるか、または第一の外側壁と開放面とは、その間に間隔を置いて配置される。
【００１６】
少なくとも一実施形態では、第二のハウジングは、第二の周面をさらに含む。第二の周面は第二の内面と第二の外面との間に接続され、凹溝は第二の周面まで延び、凹溝の開口部の一部は第二の周面に形成されている。支持アセンブリを折り畳むと、凹溝の開口部が収容スロットの開口部と部分的に重なる。
【００１７】
少なくとも一実施形態では、突出部は、第二の外側壁および第三の外側壁をさらに含む。第二の外側壁および第三の外側壁は、互いに対向して配置され、それぞれ第一の外側壁の２つの端部と接続されている。突出部が凹溝内に収容されると、第二の外側壁と第三の外側壁とが凹溝の壁と締まり嵌めを形成する。
【００１８】
少なくとも一実施形態では、支持アセンブリは、第一のロック部材および第二のロック部材をさらに含む。第一のロック部材は第一のハウジングに配置され、第二のロック部材は第二のハウジングに配置される。支持アセンブリを折り畳むと、第一のロック部材は第二のロック部材と協働する。
【００１９】
少なくとも一実施形態では、第一のロック部材は第一の永久磁石であり、第二のロック部材は第二の永久磁石である。支持アセンブリを折り畳むと、第一の永久磁石と第二の永久磁石とが互いに磁気的に引き合う。
【００２０】
少なくとも一実施形態では、第一のロック部材は、突出部の外側壁に配置され、第二のロック部材は、凹溝の壁に配置される。
【００２１】
少なくとも一実施形態では、第一のロック部材は、突出部の外側壁から突出する係止ブロックである。第二のロック部材は、凹溝の壁から窪む係止溝である。支持アセンブリを折り畳むと、係止ブロックが係止溝に係合する。
【００２２】
少なくとも一実施形態では、第一のロック部材は、突出部の外側壁から突出する第一の制限ブロックである。第二のロック部材は、凹溝の壁から突出する第二の制限ブロックである。支持アセンブリを折り畳むと、第一の制限ブロックは第二の制限ブロックに当接する。
【００２３】
少なくとも一実施形態では、収容スロットは、互いに対向して配置された第一の側壁および第二の側壁を含み、可動シートは第一の側壁および第二の側壁と摺動可能に接続して、収容スロットから摺動して出入りするようになっている。
【００２４】
少なくとも一実施形態では、収容スロットの壁は円弧状であり、可動シートの外側壁は円弧状であり、可動シートの外側壁は収容スロットの壁に対向して配置され、可動シートは第一のハウジングに回転可能に接続され、収容スロットから回転して出入りするようになっている。
【００２５】
少なくとも一実施形態では、収容スロットは半円形であり、可動シートは半円形または扇形であり、可動シートの回転中心は収容スロットの円の中心と一致する。
【００２６】
少なくとも一実施形態では、可動シートは、虹彩認識モジュール、人間の顔認識モジュール、フラッシュライト、マイクロホン、イヤホン、光センサ、および指紋モジュールのうちの少なくとも１つをさらに備える。
【００２７】
少なくとも一実施形態では、表示画面は可撓性表示画面である。第一の外面、屈曲可能部材の外面および第二の外面は、表示画面を一緒に保持する。
【００２８】
少なくとも一実施形態では、表示画面は、第一のサブ表示画面および第二のサブ表示画面を含む。第一のサブ表示画面は、第一の外面上に置かれ、第二のサブ表示画面は、第二の外面上に置かれている。
【００２９】
少なくとも一実施形態では、カメラの撮像面の向きは、第一の外面の向きと一致するか、あるいはカメラの撮像面の向きは、第一の内面の向きと一致する。
【００３０】
少なくとも一実施形態では、表示画面は、第一の表示領域および第二の表示領域を含む。第一の表示領域は第一の外面と重なり、第二の表示領域は第二の外面と重なる。カメラの撮像面の向きは、第一の内面の向きと一致している。移動端末は、コントローラをさらに含み、コントローラは、第一のハウジングまたは第二のハウジング内に収容される。コントローラは、撮影信号を受信するように構成されている受信ユニットと、撮影信号が正面撮影か背面撮影かを判定するように構成されている判定ユニットと、撮影信号が背面撮影を示すとき、第一の表示領域を切り替えて、カメラの撮影インタフェースを表示するように構成され、撮影信号が正面撮影を示すとき、第二の表示領域を切り替えて、カメラの撮影インタフェースを表示するように構成されている切替ユニットと、カメラを保持する可動シートを駆動して、撮影信号に従って収容スロットから延出し、カメラを制御して撮像するように構成されている駆動ユニットと、を備える。
【００３１】
少なくとも一実施形態では、表示画面は、第一の表示領域および第二の表示領域を含む。第一の表示領域は第一の外側と重なり、第二の表示領域は第二の外側と重なる。カメラの撮像面の向きは、第一の外面の向きと一致している。移動端末は、さらに、コントローラを含み、コントローラは、第一のハウジングまたは第二のハウジング内に収容される。コントローラは、撮影信号を受信するように構成されている受信ユニットと、撮影信号が正面撮影か背面撮影かを判定するように構成されている判定ユニットと、撮影信号が正面撮影を示すとき、第一の表示領域を切り替えて、カメラの撮影インタフェースを表示するように構成され、撮影信号が背面撮影を示すとき、第二の表示領域を切り替えて、カメラの撮影インタフェースを表示するように構成されている切替ユニットと、カメラを保持する可動シートを駆動して、撮影信号に従って収容スロットから延出し、カメラを制御して撮像するように構成されている駆動ユニットと、を備える。
【００３２】
本開示は、さらに、移動端末に関する。移動端末は、支持アセンブリと、表示画面と、可動シートとを含むことができる。支持アセンブリは、第一のハウジングと、第二のハウジングと、屈曲可能部材とを含む。屈曲可能部材は、第一のハウジングと第二のハウジングとの間に接続されている。第一のハウジングは、第一の内面と、第一の外面と、第一の頂面とを含み、第一の外面は、表示画面を部分的に支持し、第一の内面と対向して配置され、第一の上面は、第一の内面と第一の外面との間に接続され、第一のハウジングは、突出部を備え、突出部は、第一の内面から突出し、第一のハウジングは、その内部に収容空間を画定し、収容空間は、突出部内に少なくとも部分的に画定され、収容空間は、第一のハウジングの内部から第一の上面まで延在する。第二のハウジングは、第二の内面と第二の外面とを含み、第二の外面は表示画面を部分的に支持し、第二の内面は第二の外面に対向して配置され、第二のハウジングは凹溝が設けられる。屈曲可能部材を屈曲させて、支持アセンブリを折り畳むと、第二の内面が第一の内面に対向して配置され、突出部の少なくとも一部が凹溝内に収容される。カメラは、可動シートによって保持され、可動シートは、収容空間内に退避可能に取り付けられ、カメラを保持する可動シートは、カメラの撮像面を露出するように、収容空間内に受容されるか、または収容空間から延出されるように構成される。
【００３３】
本開示はさらに、移動端末に関する。移動端末は、支持アセンブリと、表示画面と、可動シートとを含むことができる。支持アセンブリは、第一のハウジングと、第二のハウジングと、屈曲可能部材とを含む。屈曲可能部材は、第一のハウジングと第二のハウジングとの間に接続され、第一のハウジングと第二のハウジングは、表示画面を支持する。第一のハウジングには突出部が設けられ、第一のハウジングは、その中に収容スロットを画定し、収容スロットは、突出部の中に少なくとも部分的に画定される。第二のハウジングには、凹溝が設けられている。支持アセンブリを折り畳むと、少なくとも突出部の一部が凹溝内に収容される。カメラは、可動シートに配置され、可動シートは、収容スロット内に退避可能に取り付けられ、カメラを保持する可動シートは、カメラの撮像面が露出されるように、収容スロット内に受容されるか、または収容スロットから延出されるように構成される。
【００３４】
図１および図２を一緒に参照すると、本開示の実施形態は、移動端末１００を提供する。移動端末１００は、支持アセンブリ１と、表示画面２と、可動台３とを備えている。表示画面２は、支持アセンブリ１に固定されている。支持アセンブリ１は、第一のハウジング１１と、第二のハウジング１２と、屈曲可能部材１３とを含む。屈曲可能部材１３は、第一のハウジング１１と第二のハウジング１２との間に接続されている。屈曲可能部材１３を折り開くと、または屈曲させると、支持アセンブリ１を折り開くこと、または折り畳むことができる。ここで、屈曲可能部材１３は、弾性板構造、ヒンジ構造、シャフト接続構造等の様々な実施態様を含むことができる。
【００３５】
本開示において、支持アセンブリ１が折り開き状態にあるとき、第一のハウジング１１および第二のハウジング１２は、１２０°〜１８０°の角度を形成する。図２に示すように、本開示は、支持アセンブリ１を折り開いたときに、第一のハウジング１１と第二のハウジング１２との間に１８０°の角度が形成される場合を例にして説明される。支持アセンブリ１が折り畳み状態にあるとき、第一のハウジング１１と第二のハウジング１２との間には０°〜１５°の角度が形成される。図１に示すように、本発明は、支持アセンブリ１を折り畳んだときに、第一のハウジング１１と第二のハウジング１２との間に０°の角度が形成される場合を例に挙げて説明される。
【００３６】
図２および図３を一緒に参照すると、第一のハウジング１１は、第一の内面１１１と、第一の外面１１２と、第一の周面１１３とを含む。第一の外面１１２は、表示画面２を支持する。第一の内面１１１は、第一の外面１１２に対向して配置されている。第一の周面１１３は、第一の内面１１１と第一の外面１１２との間に接続されている。
【００３７】
図３および図４を一緒に参照すると、第一のハウジング１１には突出部１１５が設けられている。突出部１１５は、第一の内面１１１から突出している。第一のハウジング１１には、収容スロット１１４が形成されている。収容スロット１１４は、突出部１１５内に少なくとも部分的に画定され、収容スロット１１４は、第一のハウジング１１の内側から第一の周面１１３まで延在する。すなわち、収容スロット１１４は、第一のハウジング１１の内側と第一のハウジング１１の外側とを接続しており、他の部品は、第一の周面１１３に対して収容スロット１１４から延出すること、または退避することができる。
【００３８】
図１から図４を一緒に参照すると、第二のハウジング１２は、第二の内面１２１および第二の外面１２２を含む。第二の外面１２２は、表示画面２を支持する。第二の内面１２１と第二の外面１２２とは、互いに対向して配置されている。第二のハウジング１２には、凹溝１２４が設けられている。凹溝１２４は、第二の内面１２１から第二の外面１２２に向かって窪む。支持アセンブリ１を折り畳むと、第二の内面１２１と第一の内面１１１とが互いに対向して配置され、凹溝１２４内に突出部１１５の少なくとも一部が受容される。図７を一緒に参照すると、第一の内面１１１上の凹溝１２４の突起部は、第一の内面１１１における収容スロット１１４の突起部を覆っている。
【００３９】
図５および図６を一緒に参照すると、可動シート３は、その中にカメラ４１が設けられている。可動シート３は、収容スロット１１４内に退避可能に取り付けられている。カメラ４１を保持する可動シート３は、収容スロット１１４に受容することもできるし、あるいはカメラ４１を保持する可動シート３は、カメラ４１の撮像面を露出させるように収容スロット１１４から延出することもできる。カメラ４１を保持する可動シート３が第一の周面１１３に対して収容スロット１１４内に退避すると、カメラ４１の撮像面が遮断される。カメラ４１を保持する可動シート３が第一の周面１１３に対して収容スロット１１４から延出すると、カメラ４１の撮像面を露出させることができる。このポイントで、カメラ４１は撮像することができる。
【００４０】
本実施形態では、カメラ４１を保持する可動シート３は、第一の周面１１３に対して、収容スロット１１４から延出すること、あるいはその中に退避することができるので、カメラ４１を保持する可動シート３は、図５および図６に示すように、カメラ４１が撮影のために必要なときに、撮影のために収容スロット１１４から延出し、カメラ４１を保持する可動シート３は、図１および図２に示すように、カメラ４１が撮影のために必要とされないときに、収容スロット１１４の中に退避する。これにより、カメラ４１が移動端末１００の第一の外面１１２および第二の外面１２２上で空間を占有する必要がなくなり、表示画面２をできるだけ第一の外面１１２および第二の外面１２２上に配置することができ、移動端末１００の画面本体比を向上させることができる。
【００４１】
例えば、移動端末１００の画面本体比は、８５％まで、または９５％までであってもよい。画面本体比とは、移動端末１００の画面（例えば、表示画面２）の表示面積と、支持部品１が展開したときの移動端末１００の厚さ方向の垂直面上の移動端末の全体投影面積との比をいう。換言すれば、画面本体比は、第一の外面１１２および第二の外面１２２の面積に対する表示画面２の比であってもよい。
【００４２】
図２および図５を一緒に参照すると、支持アセンブリ１を展開すると、表示画面２全体を表示することができるので、移動端末１００は、大画面表示を実現することができる。図１および図６を一緒に参照すると、支持アセンブリ１を折り畳むときに、第一の外面１１２上に置かれた表示画面２の一部が、ユーザによって表示のために選択されてもよく、あるいは第二の外側１２２上に置かれた表示画面２の一部が、ユーザによって表示のために選択されてもよく、それによって、移動端末１００のより多様化された対話を達成し、ユーザにより良好な使用経験を提供する。
【００４３】
図４および図６を一緒に参照すると、突出部１１５が第一の内面１１１から突出し、収容スロット１１４が突出部１１５内に少なくとも部分的に画定されているので、収容スロット１１４のために移動端末の厚さ方向に比較的大きな空間があり、可動シート３が比較的大きな厚さの要素、例えばカメラ３を受容できるように、摺動スライド１１４内に退避可能に取り付けられた可動シート３に対して比較的大きな厚さを設定することができる。一方、支持アセンブリ１を折り畳むと、突出部１１５の一部が凹溝１２４に受容されるため、支持アセンブリ１を折り畳むと、移動端末１００の全体的な厚さが比較的薄くなり、移動端末１００の薄型軽量化設計が容易となる。
【００４４】
図６および図７を一緒に参照すると、第一の内面１１１上の凹溝１２４の突起部１２４’が第一の内面１１１上の収容スロット１１４の突起部１１４’を覆っているために、支持アセンブリ１を折り畳むと、突出部１１５が凹溝１２４の中に少なくとも部分的に受容され、可動シート３が第一の周面１１３に対して突出部１１５内を円滑に移動でき、凹溝１２４の壁が可動シート３の移動の妨げにならないので、可動シート３は、収容スロット１１４から円滑に延出すること、あるいは収容スロット１１４の中に退避することができる。
【００４５】
本実施形態では、カメラ４１は、使用されていないとき、周囲の構造物（例えば、第一のハウジング１１および第二のハウジング１２）によって保護されるように、移動端末１００の中に退避することもでき、撮影にカメラ４１が必要なとき、カメラ４１を撮影のために移動端末１００から延出することができる。これによって、カメラ４１の摩耗を防止し、あるいは長期露出によってカメラ４１等に塵埃が侵入するのを防止し、カメラ４１の撮影品質を効果的に確保することができる。
【００４６】
図５および図６に示すように、カメラ４１の撮像面は、カメラ４１が撮影目的を達成できるように、集光に用いられる。「カメラ４１の撮像面を露出できる」とは、カメラ４１の撮像面が、光を遮ることもある移動端末１００の一部（例えば、表示画面２等）によって遮られることがなく、円滑に撮影が行えることを意味する。当然、カメラ４１の撮像面は、透明レンズ等を配置して撮像面を覆い、保護機能を発揮させることもできる。
【００４７】
収容スロット１１４は、突出部１１５の中に完全に画定されてもよく、または収容スロット１１４は、突出部１１５の中に部分的に画定され、第一のハウジング１１の他の部分に部分的に画定されてもよい。図４を参照すると、移動端末１００の全体的な厚さを薄くするように第一のハウジング１１の厚さ空間をフルに利用するために、収容スロット１１４は、突出部１１５の中に部分的に画定され、突出部１１５に直接対向する第一のハウジング１１の他の領域の中に部分的に画定され、領域は、第一の内面１１１と第一の外面１１２との間に位置する。
【００４８】
一実施形態では、図４を一緒に参照すると、第一の周面１１３は、開放面１１３０を含む。収容スロット１１４の開口部１１４９は、開放面１１３０に部分的に形成されている。可動シート３は、収容スロット１１４の開口部１１４９を介して、開放面１１３０から延出すること、あるいは開放面１１３０の中に退避する。
【００４９】
図４および図８を一緒に参照すると、第一の周面１１３は、第一の頂部側面１１３１と、第一の底部側面１１３２と、第一の横側面１１３３とを含む。第一の頂部側面１１３１と、第一の底部側面１１３２とは、互いに対向して配置されている。第一の横側面１１３３は、第一の頂部側面１１３１と第一の底部側面１１３２との間に接続されている。開放面１１３０は、第一の頂部側面１１３１、第一の底部側面１１３２、および第一の横側面１１３３のうちの１つである。換言すれば、可動シート３は、移動端末１００の上側、下側または左側、右側に延在または退避することができる。ここでは、開放面１１３０が第一の頂部側面１１３１である場合を例に挙げて説明する。
【００５０】
一実施形態では、図９および図１０を一緒に参照すると、突出部１１５は、第一の外側壁（すなわち、上端面）１１５１を含む。第一の外側壁１１５１の向きは、開放面１１３０の向きと一致している。収容スロット１１４の開口部１１４９は、第一の外側壁１１５１に部分的に形成されている。収容スロット１１４は突出部１１５の中に部分的に画定されているので、収容スロット１１４の開口部１１４９は、可動シート３が収容スロット１１４から延在すること、またはその中に退避することを便利にするために、第一の外側壁１１５１に部分的に形成されている。
【００５１】
第一の外側壁１１５１は、開放面１１３０と同じ高さにある。この場合、突出部１１５は、開放面１１３０に直ぐ隣接して配置され、可動シート３は、カメラ４１の撮像面が露出するように比較的小さな距離だけ移動するだけで、カメラ４１が収容スロットから延出して、開放面１１３０に対して延在することを可能にすることができる。さらに、収容スロット１１４の開口部１１４９の２つの部分は、互いに同じ高さにあり、可動シート３が収容スロット１１４の中に退避するとき、可動シート３の外面は、収容スロット１１４の開口部１１４９をほぼ覆うように、開放面１１３０および第一の外側壁１１５１とほぼ同じ高さにすることができる。これにより、移動端末１００の外観の均一性を高めることができ、塵埃または水が移動端末１００に侵入することを防止することができる。
【００５２】
他の実施形態では、図１１を参照すると、第一の外側壁１１５１と開放面１１３０との間に間隔を置いて配置することもできる。この場合、突出部１１５と開放面１１３０との間には、ある程度の距離がある。開放面１１３０は、移動端末１００のグリップ感を向上させるために、円弧状の面として配置されてもよい。
【００５３】
一実施形態では、図３、図８、および図９を一緒に参照すると、第二のハウジング１２は、第二の周面１２３をさらに含む。第二の周面１２３は、第二の内面１２１と第二の外面１２２との間に接続されている。凹溝１２４は、第二の内面１２１から第二の外面１２２に向かって窪む。凹溝１２４は、第二の周面１２３まで延びている。凹溝１２４の開口部の一部は、第二の周面１２３に形成されている。凹溝１２４の開口部の他の部分は、第二の内面１２１に形成され、開口部の２つの部分が互いに連通している。支持アセンブリ１を折り畳むと、凹溝１２４の開口部が収容スロット１１４の開口部１１４９と部分的に重なる。本出願では、収容スロット１１４は、移動端末１００の厚さ空間を十分に利用し、第二のハウジング１２は、凹溝１２４の設計によって摺動溝１１４の回避を達成し、その結果、可動シート３は、収容スロット１１４から円滑に延在すること、またはその中に退避することができる。
【００５４】
本出願では、支持アセンブリ１を折り畳むと、第一のハウジング１１および第二のハウジング１２は、以下のように説明される多くの方法で固定され得る。
【００５５】
一実施形態では、図８および図９を一緒に参照すると、突出部１１５は、第二の外側壁１１５２および第三の外側壁１１５３をさらに含む。第二の外側壁１１５２および第三の外側壁１１５３は、互いに対向して配置され、それぞれ第一の外側壁１１５１の２つの端部と接続されている。突出部１１５が凹溝１２４内に収容されると、第二の外側壁１１５２と第三の外側壁１１５３とが凹溝１２４の壁と締まり嵌めを形成する。
【００５６】
本出願では、突出部１１５の外側壁（第二の外側壁１１５２と第三の外側壁１１５３）と凹溝１２４の壁との締まり嵌めによって、支持アセンブリ１を折り畳むと、第一のハウジング１１と第二のハウジング１２とを互いに固定することが可能になる。これにより、突出部１１５と凹溝１２４との締まり嵌めにより、移動端末１００の全体的な厚さを薄くできるだけでなく、制限および固定の機能をも達成できる。
【００５７】
別の実施形態では、図８および図１２を参照すると、支持アセンブリ１は、第一のロック部材１５１および第二のロック部材１５２をさらに含む。第一のロック部材１５１は、第一のハウジング１１に配置されている。第二のロック部材１５２は、第二のハウジング１２に配置されている。支持アセンブリ１を折り畳むと、第一のロック部材１５１は第二のロック部材１５２と協働する。第一のロック部材１５１と第二のロック部材１５２との締まり嵌めによって、第一のハウジング１１と第二のハウジング１２とを互いに固定することが可能になる。
【００５８】
ここで、第一のロック部材１５１は、第一の永久磁石である。第二のロック部材１５２は、第二の永久磁石である。第一の永久磁石の端部と第二の永久磁石の端部とは、互いに向かい合っており、反対の磁極を備えて構成される。支持アセンブリ１を折り畳むと、第一の永久磁石と第二の永久磁石とが磁気的に引き合う。
【００５９】
さらに、第一のロック部材１５１は、突出部１１５の外側壁に配置され、第二のロック部材１５２は、凹溝１２４の壁に配置される。第一のロック部材１５１は、突出部１１５の外側壁の少なくとも一方の側壁に配置されてもよく、第二のロック部材１５２は、第一のロック部材１５１に対応して配置されている。例えば、突出部１１５の外側壁は、第二の外側壁１１５２と、第三の外側壁１１５３と、第二の外側壁１１５２および第三の外側壁１１５３と接続された第四の外側壁１１５４とを備え、凹溝１２４の壁は、第二の外側壁１１５２に対応する第一の壁１２４１と、第三の外側壁１１５３に対応する第二の壁１２４２と、第四の外側壁１１５４に対応する第三の壁１２４３とを備える。第一のロック部材１５１および第二のロック部材１５２は、対応する第二の外側壁１１５２および第一の壁１２４１と、第三の外側壁１１５３および第二の壁１２４２と、第四の外側壁１１５４および第三の壁１２４３との少なくとも１つに、ペアで配置されている。別の実施形態では、第一のロック部材１５１は突出部１１５の全ての外側壁に置かれ、第二のロック部材１５２は凹溝１２４の全ての壁に置かれ、第一のロック部材１５１と第二のロック部材１５２との間の吸着面積が大きくなって、ロック力が強められるようになっている。他の実施形態では、第一のロック部材１５１は、また第一の内面１１１上に配置されてもよく、第二のロック部材は、第二の内面１２１上に配置されてもよい。
【００６０】
別の実施形態では、図１３を一緒に参照すると、第一のロック部材１５１は、突出部１１５の外側壁から突出する係止ブロックである。第二のロック部材１５２は、凹溝１２４の壁から窪む係止溝である。支持アセンブリ１を折り畳むと、係止ブロックは係止溝に係合する。この係止ブロックと係止溝との係合により、第一のハウジング１１と第二のハウジング１２とを互いに固定することが可能になる。
【００６１】
別の実施形態では、図１４を一緒に参照すると、第一のロック部材１５１は、突出部１１５の外側壁から突出する第一の制限ブロックである。第二のロック部材１５２は、凹溝１２４の壁から突出する第二の制限ブロックである。支持アセンブリ１を折り畳むと、第一の制限ブロックは第二の制限ブロックに当接する。第一の制限ブロックが第二の制限ブロックに当接すると、第一のハウジング１１および第二のハウジング１２は、互いに固定されるように互いの位置を制限する。
【００６２】
本出願では、可動シート３は、収容スロット１１４から摺動可能または回転可能に延出すること、あるいはその中に退避することができる。例えば、以下の通りである。
【００６３】
一実施形態によると、図８を一緒に参照すると、収容スロット１１４は、互いに対向して配置された第一の側壁１１４１と第二の側壁１１４２とを含む。第一の側壁１１４１は、第二の側壁１１４２と略平行である。可動シート３は、第一の側壁１１４１と第二の側壁１１４２とを摺動可能に接続し、収容スロット１１４から摺動して出入りするようになっている。具体的には、可動シート３は、互いに対向して配置された第一の外側壁３３と第二の外側壁３４とを備える。第一の外側壁３３は、第一の側壁１１４１と摺動可能に接続する。第二の外側壁３４は、第二の側壁１１４２と摺動可能に接続する。
【００６４】
本実施の形態では、第一の側壁１１４１および第二の側壁１１４２は、可動シート３に対する案内機能を有しており、可動シート３の移動方向は、第一の側壁１１４１および第二の側壁１１４２の延在方向と概ね一致している。
【００６５】
収容スロット１１４は、第三の側壁１１４３をさらに含む。第三の側壁１１４３は、第一の側壁１１４１と第二の側壁１１４２との間に接続され、第三の側壁１１４３と開放面１１３０との間に間隔をもって配置されている。可動シート３は、第三の外側壁３５をさらに含む。第三の外側壁３５は、第一の外側壁３３と第二の外側壁３４との間に接続されている。可動シート３が収容スロット１１４の中に退避すると、第三の外側壁３５は第三の側壁１１４３に当接し、第三の側壁１１４３は可動シート３の位置を制限する。
【００６６】
移動端末１００は、第一の駆動アセンブリをさらに含む。第一の駆動アセンブリは、可動シート３を駆動して、収容スロット１１４から摺動して出入りするように構成される。駆動アセンブリの一部は可動シート３と固定的に接続されており、駆動アセンブリの一部は第一のハウジング１１内に収容されている。第一の駆動アセンブリは、多くの方法で達成することができ、その例を以下に説明する。
【００６７】
図８を参照すると、第一の駆動アセンブリは、永久磁石１４１および電磁石１４２を含む。永久磁石１４１は、可動シート３に固定される。永久磁石１４１は、第三の外側壁３５に挿入されてもよい。電磁石１４２は、第一のハウジング１１に固定される。電磁石１４２は、第三の側壁１１４３に近接して配置されてもよく、例えば、第三の側壁１１４３に挿入されてもよい。電磁石１４２に電力が供給されると、電磁石１４２および永久磁石１４１は相互に反発し、または引き合い、その結果、可動シート３が収容スロット１１４から摺動して出入りする。電磁石１４２は、鉄心と、鉄心の周囲に巻かれたコイルとを含む。電磁石１４２の磁界は、コイル内を流れる電流の方向を制御することによって変化する。
【００６８】
別の実施形態では、第一の駆動アセンブリは、スライダと、スクリューロッドと、モータとを含む。スライダは、可動シート３に固定的に接続されている。スクリューロッドおよびモータは、第一のハウジング１１内に収容される。スクリューロッドの周縁側には螺旋溝が設けられている。スライダは、螺旋溝に部分的に挿入され、スクリューロッドと摺動可能に接続されている。スライダは、一般的には棒形であってもよい。スライダの一端は可動シート３に固定され、スライダの他端は螺旋溝に挿入される。モータは、スクリューロッドの回転を駆動するように構成され、可動シート３を保持するスライダが摺動するようになっている。例えば、モータがスクリューロッドを駆動して第一の方向に向かって回転すると、可動シート３を保持するスライダがスクリューロッドによって駆動され、第三の側壁１１４３から離れる方向に摺動し、可動シート３が収容スロット１１４から延出するようになる。モータがスクリューロッドを駆動して第一の方向と反対の第二の方向に向かって回転すると、可動シート３を保持するスライダは、スクリューロッドによって駆動され、第三の側壁１１４３に近づく方向に向かって摺動し、可動シート３が収容スロット１１４内に退避するようになる。モータの動作（回転方向、回転速度、回転角度等を含む）は、ユーザの要求に応じて調整することができる。
【００６９】
別の実施形態では、第一の駆動アセンブリは、スリーブと、駆動ロッドと、モータとを含む。スリーブは、可動シート３に固定的に接続されている。駆動ロッドおよびモータは、第一のハウジング１１内に収容される。スリーブは、駆動ロッドの外側に入れ子になっており、スレッド接続を介して駆動ロッドと接続される。スリーブは駆動ロッドに対して回転し、第一のハウジング１１に対して移動する。モータは、駆動ロッドの回転を駆動するように構成され、可動シート３を保持するスリーブが摺動するようになっている。モータが駆動ロッドを駆動して第三の方向に向かって回転すると、可動シート３を保持するスリーブが駆動ロッドによって駆動され、第三の側壁１１４３から離れる方向に摺動し、可動シート３が収容スロット１１４から延出するようになる。モータが駆動ロッドを駆動して第三の方向と反対の第四の方向に向かって回転すると、可動シート３を保持するスリーブが駆動ロッドによって駆動され、第三の側壁１１４３に近づく方向に向かって摺動し、可動シート３が収容スロット１１４内に退避するようになる。モータの動作（回転方向、回転速度、回転角度等を含む）は、ユーザの要求に応じて調整することができる。
【００７０】
別の実施形態では、第一の駆動アセンブリは、ラックと、ギヤと、モータとを含む。ラックは、可動シート３に固定的に接続されている。ギヤおよびモータは、第一のハウジング１１内に収容される。ギヤは、ラックと係合している。ギヤは、第一のハウジング１１内に収容される。モータは、第一のハウジング１１内に収容される。モータは、ギヤの回転を駆動するように構成され、可動シート３を保持するラックが摺動するようになっている。モータがギヤを駆動して第五の方向に向かって回転すると、可動シート３を保持するラックは、ギヤによって駆動されて、第三の側壁１１４３から離れる方向に摺動し、可動シート３が凹型スロットから延出するようになる。モータがギヤを駆動して、第五の方向と反対の第六の方向に向かって回転すると、可動シート３を保持するラックは、ギヤによって駆動され、第三の側壁１１４３に近づく方向に向かって摺動し、可動シート３が凹型スロット内に退避するようになる。モータの動作（回転方向、回転速度、回転角度等を含む）は、ユーザの要求に応じて調整することができる。
【００７１】
第一の駆動アセンブリの複数のグループがあってもよく、第一の駆動アセンブリの複数のグループは、可動シート３をより安定して駆動するように間隔を置いて配置されている。
【００７２】
別の実施形態では、図１５および図１６を一緒に参照すると、収容スロット１１４の壁は、円弧状である。可動シート３の外側壁は、円弧状である。可動シート３の外側壁は、収容スロット１１４の壁に対向して配置されている。可動シート３の外側壁と収容スロット１１４の壁とは、互いに近接して面している。可動シート３は、第一のハウジング１１と回転可能に接続され、収容スロット１１４から回転して出入りするようになっている。
【００７３】
本実施形態では、可動シート３は第一のハウジング１１と回転可能に接続され、収容スロット１１４の壁の軌道が可動シート３の回転軌道と一致する。収容スロット１１４の壁は円弧状であり、可動シート３の外壁は円弧状であり、これらの２つの形状はすべて可動シート３の回転軌道に適合し、可動シート３が収容スロット１１４から円滑に出入りすることができるようになっている。
【００７４】
収容スロット１１４は、半円形である。可動シート３は、半円形または扇形である。可動シート３の回転中心３０は、収容スロット１１４の円の中心１１４０に一致する。この場合、可動シート３は、第一のハウジング１１に対してより円滑に回転することができる。可動シート３が半円形である場合、可動シート３は、外側壁を接続する上側壁をさらに含む。可動シート３が収容スロット１１４の中で回転すると、頂部側壁は第一のハウジング１１の開放面１１３０と同じ高さになる。可動シート３が扇形である場合、可動シート３は、第一の横側壁と、第一の横側壁を接続する第二の横側壁とをさらに含む。第一の横側壁および第二の横側壁は、それぞれ可動シート３の外側壁の２つの端部と接続されている。第一の横側壁と第二の横側壁との間には、１８０°未満の角度が形成される。
【００７５】
移動端末１００は、第二の駆動アセンブリをさらに含む。第二の駆動アセンブリは、可動シート３を駆動して、収容スロット１１４から回転して出入りするように構成される。第二の駆動アセンブリは、モータと、第一のギヤと、第二のギヤとを含む。モータは、第一のギヤの回転を駆動するように構成される。第二のギヤは、第一のギヤと係合している。第二のギヤは、可動シート３の回転軸上に固定されており、第二のギヤの回転中心は、可動シート３の回転軸の回転中心と一致している。モータは、第一のギヤおよび第二のギヤを介して可動シート３をその回転軸の周りで回転させるように駆動し、可動シート３が収容スロット１１４から回転して出入りするようになっている。
【００７６】
一実施形態によると、図７を一緒に参照すると、第一の内面１１１上の凹溝１２４の突起部１２４’は、第一の内面１１１上の突出部１１５の突起部１１５’を完全に覆い、突出部１１５が凹溝１２４内に円滑に入り込むことができる。第一の内面１１１に上の凹溝１２４の突起部１２４’の形状は、第一の内面１１１上の収容スロット１１４の突起部１１４’の形状と同一である。例えば、図７に示すように、第一の形状は矩形であり、第二の形状は矩形である。別の実施形態では、第一の形状は半円形であり、第二の形状は半円形である。
【００７７】
本出願では、表示画面２は、以下のように例を挙げて、様々な実施態様を有することができる。
【００７８】
一実施形態では、図２および図３を参照すると、表示画面２は可撓性表示画面である。第一の外面１１２、屈曲可能部材１３の外面および第二の外面１２２は、表示画面２を一緒に保持する。屈曲可能部材１３の外側の対向する２辺は、第一の外面１１２と第二の外面１２２とに別々に接続されている。
【００７９】
表示画面２は、有機発光ダイオード（ＯＬＥＤ）表示画面であってもよい。
【００８０】
別の実施形態では、図３および図１７を参照すると、表示画面２は、第一のサブ表示画面２１および第二のサブ表示画面２２を含む。第一のサブ表示画面２１と第二のサブ表示画面２２とは、互いに独立した２つの表示画面である。第一のサブ表示画面２１は、第一の外面１１２上に置かれている。第二のサブ表示画面２２は、第二の外面１２２上に置かれている。屈曲可能部材１３の外面には、第一のサブ表示２１および第二のサブ表示２２に接続された可撓性の第三のサブ表示２３を置くことができる。明らかに、他の実施形態では、屈曲可能部材１３の外面には、表示画面が置かれないこともある。
【００８１】
第一のサブ表示２１は、液晶表示（ＬＣＤ）であっても、あるいは有機発光ダイオード（ＯＬＥＤ）表示であってもよい。第二のサブ表示２２は、液晶表示であっても、あるいは有機発光ダイオード表示であってもよい。第三のサブ表示２２は、有機発光ダイオード表示とすることができる。
【００８２】
一実施形態では、図５および図６を参照すると、可動シート３には、虹彩認識モジュール、人間の顔認識モジュール、フラッシュライト、マイク（電話送信機とも呼ばれる）、イヤホン４２（電話受信機とも呼ばれる）、光センサ、および指紋モジュールのうちの少なくとも一つがさらに配置される。上記機能装置（例えば、イヤホン４２、光センサ、指紋モジュール等）は、必要なときは、支持アセンブリ１１に対して折り開かれるように、可動シート３に配置され、必要でない場合には、移動端末１００の外観空間を占有することなく、支持アセンブリ１１に対して折り畳まれる。こうして、表示画面２の表示面積を大きくして、移動端末１００の画面比率を高めることができる。可動シート３内に収容される機能装置は、互い違いに分布するように配置して、重複配置によって移動端末１００の厚さが厚くなるのを回避することができる。
【００８３】
可動シート３内のカメラ４１の数は、１つであっても、複数であってもよい。例えば、図５に示すように、カメラ４１の数は２つである。２つのカメラ４１の撮影方向は、同じであっても（どちらも正面向きまたは背面向き）、あるいは異なっていてもよい（一方は正面向き、他方は背面向き）。
【００８４】
一実施形態によると、図３および図１８を一緒に参照すると、カメラ４１の撮像面の向きは、第一の外面１１２の向きと一致する。他の実施形態では、図３、図５および図６を一緒に参照すると、カメラ４１の撮像面の向きは、第一の内面１１１の向きと一致している。
【００８５】
図１９を参照すると、可動シート３は、ボックス３ａとカバープレート３ｂとを含む。カバープレート３ｂは、ボックス３ａを覆う。可動シート３内には、受容空間が形成されている。カメラ４１は、受容空間に収容される。カバープレート３ｂは、その上に信号貫通領域３ｃを備えている。信号貫通領域３ｃは、ビアであってもよく、ビアに透明レンズが挿入されていてもよい。カメラ４１の撮像面は、信号貫通領域３ｃに直接対向しており、信号貫通領域３ｃを介して集光するようになっている。
【００８６】
一実施形態によると、図１および図２を一緒に参照すると、移動端末１００は、コントローラ５をさらに含み、コントローラ５は、第一のハウジング１１または第二のハウジング１２内に収容される。コントローラ５は、表示画面２と電気的に接続されている。また、コントローラ５は、可動シート３の中に受容された機能要素、例えば、カメラ４１と、電気的に接続されてもよい。コントローラ５は、可動シート３の移動を駆動するための第一の駆動アセンブリまたは第二の駆動アセンブリと、さらに電気的に接続されており、可動シート３を収容スロット１１４から延出すること、またはその中に退避するように制御する。
【００８７】
一実施形態では、図１〜図３を一緒に参照すると、第一のハウジング１１の第一の周面１１３または第二のハウジング１２の第二の周面１２３には、トリガキー６が設けられている。トリガキー６は、コントローラ５と接続（電気的接続および信号接続を含む）する。ユーザがトリガキー６を押して、またはタッチして、トリガキー６がコントローラ５にトリガ信号を送信すると、コントローラ５は、可動シート３が、第一の駆動アセンブリまたは第二の駆動アセンブリを制御して、必要に応じて、第一の駆動アセンブリまたは第二の駆動アセンブリを介して、収容スロット１１４から移動して出入りするようにする。当然、他の実施形態では、第一の周面１１３と第二の周面１２３との両方にトリガキーが設けられる。トリガ信号は、撮影信号、撮影終了信号、着信信号、着信終了信号等であってもよい。
【００８８】
他の実施形態では、トリガキーは、表示画面２上に配置されたタッチアイコンであってもよい。タッチアイコンがクリックされると、トリガ信号をコントローラ５に送ることができる。コントローラ５は、第一の駆動アセンブリまたは第二の駆動アセンブリを制御して、トリガ信号に従って可動シート３の移動を駆動する。
【００８９】
一実施形態によると、図３、図６および図２０を一緒に参照すると、表示画面２は、第一の表示領域２ａおよび第二の表示領域２ｂを含む。第一の表示領域２ａは、第一の外面１１２と重なっている。第二の表示領域２ｂは、第二の外面１２２と重なっている。カメラ４１の撮像面の向きは、第一の内面１１１の向きと一致している。コントローラ５は、受信ユニット５１１と、判定ユニット５１２と、切替ユニット５１３と、駆動ユニット５１４とを含む。
【００９０】
受信ユニット５１１は、撮影信号を受信するように構成されている。
【００９１】
判定ユニット５１２は、撮影信号が正面撮影か背面撮影かを判定するように構成されている。
【００９２】
切替ユニット５１３は、撮影信号が背面撮影を示すとき、第一の表示領域２ａを切り替えて、カメラ４１の撮影インタフェースを表示するように構成され、撮影信号が正面撮影を示すとき、第二の表示領域２ｂを切り替えて、カメラ４１の撮影インタフェースを表示するように構成されている。
【００９３】
駆動ユニット５１４は、カメラ４１を保持する可動ベース３を駆動して、撮影信号に応じて、収容スロット１１４から延出して、カメラ４１を制御して撮像するように構成されている。
【００９４】
この実施形態では、移動端末１００は、ユーザの撮影要件に応じて、カメラ４１の撮影インタフェースを柔軟に切り替えることができるため、ユーザの撮影経験が向上する。
【００９５】
受信ユニット５１１は、さらに、撮影終了信号を受信するように構成されている。駆動ユニット５１４は、さらに、撮影終了信号に応じて、可動シート３を収容スロット１１４内に退避させて、カメラ４１の撮影を終了させるように構成されている。
【００９６】
別の実施形態では、図３、図１８および図２１を一緒に参照すると、表示画面２は、第一の表示領域２ａおよび第二の表示領域２ｂを含む。第一の表示領域２ａは、第一の外面１１２と重なっている。第二の表示領域２ｂは、第二の外面１２２と重なっている。カメラ４１の撮像面の向きは、第一の外面１１２の向きと一致している。コントローラ５は、受信ユニット５２１と、判定ユニット５２２と、切替ユニット５２３と、駆動ユニット５２４とを含む。
【００９７】
受信ユニット５２１は、撮影信号を受信するように構成されている。
【００９８】
判定ユニット５２２は、撮影信号が正面撮影か背面撮影かを判定するように構成されている。
【００９９】
切替ユニット５２３は、撮影信号が正面撮影を示すとき、第一の表示領域２ａを切り替えて、カメラ４１の撮影インタフェースを表示するように構成され、撮影信号が背面撮影を示すとき、第二の表示領域２ｂを切り替えて、カメラ４１の撮影インタフェースを表示するように構成されている。
【０１００】
駆動ユニット５２４は、カメラ４１を保持する可動ベース３を駆動して、撮影信号に応じて、収容スロット１１４から延出して、カメラ４１を制御して撮像するように構成されている。
【０１０１】
この実施形態では、移動端末１００は、ユーザの撮影要件に応じて、カメラ４１の撮影インタフェースを柔軟に切り替えることができるため、ユーザの撮影経験が向上する。
【０１０２】
受信ユニット５２１は、さらに、撮影終了信号を受信するように構成されている。駆動ユニット５２４は、さらに、撮影終了信号に応じて、可動シート３を収容スロット１１４内に退避させて、カメラ４１の撮影を終了させるように構成されている。
【０１０３】
以上、本開示の実施形態を詳細に説明してきたが、本開示の原理および実施態様は、特定の具体例に記載されている。上記の実施態様の説明は、本開示の方法および核となる精神の理解を助けるためにのみ使用される。なお、当業者であれば、本開示の趣旨に従い、具体的な実施形態および適用範囲を変更することができる。一言で言えば、本明細書は、本開示の制限とはみなされないものとする。
【図１】
2021520171.tif 000003
【図２】
2021520171.tif 000004
【図３】
2021520171.tif 000005
【図４】
2021520171.tif 000006
【図５】
2021520171.tif 000007
【図６】
2021520171.tif 000008
【図７】
2021520171.tif 000009
【図８】
2021520171.tif 000010
【図９】
2021520171.tif 000011
【図１０】
2021520171.tif 000012
【図１１】
2021520171.tif 000013
【図１２】
2021520171.tif 000014
【図１３】
2021520171.tif 000015
【図１４】
2021520171.tif 000016
【図１５】
2021520171.tif 000017
【図１６】
2021520171.tif 000018
【図１７】
2021520171.tif 000019
【図１８】
2021520171.tif 000020
【図１９】
2021520171.tif 000021
【図２０】
2021520171.tif 000022
【図２１】
2021520171.tif 000023
【国際調査報告】
2021520171.tif 000024
2021520171.tif 000025